(57)【要約】【課題】掛針を迅速に取り出せる鮎釣り用針ケースを提供する。【解決手段】針取り出し用窓部２が開設されたケーシング１内に、複数の掛針４を保持するための円環状針保持盤３が回転自在として収容されている。【選択図】図１
2013183668.tif 000002
【特許請求の範囲】
【請求項１】
針取り出し用窓部（２）が開設されたケーシング（１）内に、複数の掛針（４）を保持するための円環状針保持盤（３）が回転自在として収容されていることを特徴とする鮎釣り用針ケース。
【請求項２】
上記円環状針保持盤（３）は、外周面（３Ａ）に周方向の切込み溝（１３）が形成されており、該切込み溝（１３）に１０本〜５０本の上記掛針（４）を差し込んで保持可能である請求項１記載の鮎釣り用針ケース。
【請求項３】
上記円環状針保持盤（３）を一方向（Ａ）へ回転自在とすると共に他方向（Ｂ）への回転を規制するラチェット機構（５）を具備している請求項１又は２記載の鮎釣り用針ケース。
【発明の詳細な説明】
【技術分野】
【０００１】
本発明は、鮎釣り用針ケースに関する。
【背景技術】
【０００２】
従来、鮎の友釣に使用される掛針を収納するための針ケースがあった（特許文献１参照）。
特許文献１記載の針ケースは、複数の掛針を差し込み可能な切込みを有する細長板状スポンジから成る保持体を、蓋付きのケーシングに収容した構造であった。
【先行技術文献】
【特許文献】
【０００３】
【特許文献１】特開平１１−９１６４号公報
【発明の概要】
【発明が解決しようとする課題】
【０００４】
しかし、従来の針ケースは、ケーシングをポケットから取り出し、蓋を開け、掛針を取り出して、ケーシングの蓋を閉めて再びポケットに戻す一連の作業が非常に面倒であった。鮎の友釣りでは、掛針が川底の石で擦れる等して針先が丸くなってしまうため、１日で数十本の掛針を使用し、頻繁に新しい掛針に交換する必要があった。この掛針の交換の度にケーシングをポケットから出し入れし、蓋を開閉していると、時間を浪費し、また、ケーシングごと川の中に落とす虞れもあった。
【０００５】
そこで、本発明は、掛針を迅速に取り出せる鮎釣り用針ケースを提供することを目的とする。
【課題を解決するための手段】
【０００６】
本発明に係る鮎釣り用針ケースは、針取り出し用窓部が開設されたケーシング内に、複数の掛針を保持するための円環状針保持盤が回転自在として収容されているものである。
【０００７】
また、上記円環状針保持盤は、外周面に周方向の切込み溝が形成されており、該切込み溝に１０本〜５０本の上記掛針を差し込んで保持可能であるものである。
また、上記円環状針保持盤を一方向へ回転自在とすると共に他方向への回転を規制するラチェット機構を具備しているものである。
【発明の効果】
【０００８】
本発明の鮎釣り用針ケースによれば、針取り出し用窓部から掛針を迅速に取り出すことができる。ケーシングを開閉する必要がなく、ポケットに入れたままでも掛針を取り出すことができる。円環状針保持盤を回転させて次々と新しい掛針を繰り出すことができ、鮎の友釣りで１日に要する複数の掛針を、コンパクトなケーシングに収納して携行することができる。
【図面の簡単な説明】
【０００９】
【図１】本発明の実施の一形態を示した斜視図である。
【図２】鮎の友釣り用の仕掛けの一例を示した簡略図である。
【図３】本発明の他の実施形態を示した斜視図である。
【図４】本発明の別の実施形態を示した斜視図である。
【図５】掛針と逆針の取着状態を示した説明図である。
【図６】鮎釣り用針ケースの断面正面図であり、（Ａ）は円環状針保持盤を取外したケーシングの断面正面図であり、（Ｂ）は全体の断面正面図であり、（Ｃ）は要部拡大断面図である。
【図７】本発明のさらに別の実施形態を示した斜視図である。
【図８】他の鮎釣り用針ケースの断面正面図であり、（Ａ）は全体の断面正面図であり、（Ｂ）は要部拡大断面正面図である。
【発明を実施するための形態】
【００１０】
以下、実施の形態を示す図面に基づき本発明を詳説する。
図１に示すように、本発明の鮎釣り用針ケースは、針取り出し用窓部２が開設されたケーシング１内に、複数の掛針４を保持するための円環状針保持盤３が回転自在として収容されている。
図１では、ケーシング１は、適度な剛性を有する合成樹脂から成り、正面視（図６参照）に於て、上半部が半円形状で、下半部が矩形状に形成されている。ケーシング１は、その外周縁を成す側壁の内の（上半分の）円周壁部１１の一部、及び、その前後周辺部を切欠いて針取り出し用窓部２が開口されている。ケーシング１は、針取り出し用窓部２から円環状針保持盤３が一部露出するように構成されている。ケーシング１の中央部には、円環状針保持盤３を支持する軸受用短円筒部６を備え、短円筒部６内には空間部１２が形成されている。
【００１１】
図２に示すように、掛針４は、鮎の友釣りに用いられる仕掛けに於て、着脱自在として次々に交換して使用されるものであって、イカリ形状の針４Ａと、針４Ａの軸に結び付けられた短尺の釣糸４Ｂから成る。なお、図例では、針４Ａは、３本爪のイカリ形状としたが、４本爪、あるいは、それ以上の爪を有するイカリ形状とするも良い。図２に示す鮎の友釣り用の仕掛けの一例としては、図外の竿に垂らされた長尺の仕掛け糸４１と、仕掛け糸４１に移動可能に取付けられ囮用の鮎Ｙの鼻に通すための鼻カン４２と、仕掛け糸４１の端部が結び付けられて囮用の鮎Ｙの尾近くに刺して止着するための逆針４３とを、具備している。
図５に示すように、逆針４３は、一端を鮎Ｙに引っ掛けるための鉤針部４３Ａとし、他端に折返し部４３Ｂを有している。掛針４は、折返し部４３Ｂに釣糸４Ｂを係着して取り付けられる。
【００１２】
図１と図６に示すように、円環状針保持盤３は、外周面３Ａに周方向の切込み溝１３が形成されており、切込み溝１３に１０本〜５０本の掛針４を差し込んで保持可能である。
円環状針保持盤３は、ポリウレタンフォーム等の弾性合成樹脂から成る外環スポンジ体３０と、適度な剛性を有する合成樹脂から成る芯材３１とを、備えている。芯材３１は、外環スポンジ体３０に内嵌されて内側から支持しており、その一側面には、複数の三角段部１８が内周端縁に沿って（環状に）並べて形成されている。この三角段部１８は、各頂点から見て一方向Ａ側に緩斜面１８Ａを有し、かつ、他方向Ｂ側に起立壁１８Ｂを有している。円環状針保持盤３は、切込み溝１３に差し込まれた掛針４を、外環スポンジ体３０の弾発力をもって挟み込んで保持している。なお、円環状針保持盤３の外周面３Ａには、２本以上（複数）の切込み溝１３…を設けても良い。
円環状針保持盤３に保持できる掛針４の数が、１０本より少ないと、（１日の）鮎の友釣りで使用する掛針４の必要数に足りず、１個の針ケースでは掛針４が不足するため、針ケースを複数持つ必要があり不便である。また、円環状針保持盤３が保持できる掛針４の数が、５０本より多いと、円環状針保持盤３の外径を大きくする必要が生じ、針ケース自体が大きくなりすぎて持ち運びが不便になる。
【００１３】
図６に示すように、本発明の鮎釣り用針ケースは、円環状針保持盤３を一方向Ａへ回転自在とすると共に他方向Ｂへの回転を規制するラチェット機構５を具備している。
ラチェット機構５は、ケーシング１の軸受用短円筒部６の外周端縁に沿って形成された複数の係止片部１７、及び、円環状針保持盤３に形成された複数の三角段部１８によって構成されている。係止片部１７は、一方向Ａに向けて傾くように突出しており、三角段部１８（芯材３１の側面）に反発力をもって当接している。
ラチェット機構５は、円環状針保持盤３が一方向Ａに回転する際、三角段部１８が緩斜面１８Ａにより係止片部１７を弾性変形させつつ頂点を乗り越えさせ、カチカチと音をたてながら回転が可能となるように構成されている。また、円環状針保持盤３が他方向Ｂに回転しようとする際には、係止片部１７の先端部が三角段部１８の起立壁１８Ｂに当たって針保持盤３を係止して、その回転を規制するように構成されている。
【００１４】
図７に示すように、ケーシング１は、その外壁面に面状ファスナー１０を取付けるも良い。
この構成によれば、鮎釣りの際、使用者が着用しているベストに、面状ファスナー１０を利用してケーシング１を取着することができる。ケーシング１をベストに取着したままで円環状針保持盤３に差し込まれた掛針４を取り出し、円環状針保持盤３を回転させながら使用するのが好ましい。
【００１５】
図８は、ラチェット機構５の他の実施例を示している。
図８のラチェット機構５は、ケーシング１の軸受用短円筒部６の外周面に突設された複数の係止片部７、及び、円環状針保持盤３の芯材３１の内周面に形成された複数の三角段部８によって構成されている。
係止片部７は、短円筒部６の外周面からラジアル方向に立ち上げられ、一方向Ａ側へ弾性変形させて折曲げられて、先端部７Ａから中間部７Ｂにわたって三角段部８（芯材３１の内周面）に反発力をもって当接すると共に短円筒部６の外周面との間に隙間９を形成している。
図６に示すラチェット機構５は、円環状針保持盤３が一方向Ａに回転する際、三角段部８が緩斜面８Ａにより係止片部７を内側に押込んで弾性変形させつつ三角段部８の頂点を乗り越えさせ、カチカチと音をたてながら回転が可能となるように構成されている。また、円環状針保持盤３が他方向Ｂに回転しようとする際には、係止片部７が先端部７Ａを三角段部８の起立壁８Ｂに当て、先端部７Ａから中間部７Ｂにわたる広い範囲で円環状針保持盤３の芯材３１を係止して、その回転を規制するように構成されている。
【００１６】
上述した本発明の鮎釣り用針ケースの使用方法（作用）について説明する。
図１と図６に示すように、ケーシング１の針取り出し用窓部２から露出している円環状針保持盤３の切込み溝１３に、掛針４を差し込んで保持させる。この際、イカリ形状の針４Ａの複数に分かれた爪の内の１本と軸、及び、釣糸４Ｂを、切込み溝１３に沿って差し込めば、釣糸４Ｂが直線状に収まって、見た目も良い。次に、円環状針保持盤３を回転させつつ切込み溝１３に次々と掛針４を差し込んでいき、外周面３Ａの切込み溝１３の全周にわたって、所定数の掛針４，４…を保持させる。
【００１７】
次に、針取り出し用窓部２から指を入れて、円環状針保持盤３の切込み溝１３に差し込まれた掛針４を掴んで取り出す。指で掴める箇所に保持された掛針４を使いきったら、円環状針保持盤３を回転させて、新しい掛針４を順次繰り出す。この際、ラチェット機構５により、円環状針保持盤３の他方向Ｂへの回転を規制し、一方向Ａにのみ回転可能としているため、掛針４が針取り出し用窓部２に引っ掛かってしまう虞れが無く、かつ、針４Ａを指に突き刺してケガをする危険性を低減する。面状ファスナー１０を利用してケーシング１をベストに取着して使用する場合、掛針４の交換の際、ケーシング１をポケットから取り出す必要がなく、掛針４を取り出せて交換作業が迅速に行え、ケーシング１を川に落とすこともない。
ケーシング１の中央部に設けられた空間部１２には、円環状針保持盤３を回転させる際、指を通して把持するも良く、又は、図２に示す仕掛け糸４１と鼻カン４２と逆針４３で構成される鮎釣りの仕掛けを巻き取るための仕掛け巻きを装着するも好ましい（図示省略）。
【００１８】
なお、本発明は、設計変更可能であって、例えば、図３に示す本発明の他の実施形態では、ケーシング１が丸型となっている。図３では、ケーシング１は、円環状針保持盤３を包囲状として全体が環状に形成されている。ケーシング１は、外周縁を成す側壁が全周にわたって円周壁部１１であり、その円周壁部１１の一部と周辺部を切欠いて針取り出し用窓部２が開口されている。ケーシング１は、針取り出し用窓部２から円環状針保持盤３が一部露出するように構成されている。
【００１９】
図４は、本発明の別の実施形態を示した図である。
図４では、ケーシング１が全体として正方形状の角型となっている。この正方形状のケーシング１の一辺を切欠いて針取り出し用窓部２が開口され、針取り出し用窓部２から円環状針保持盤３が一部露出し、切込み溝１３に差し込まれた掛針４を迅速に取り出せるように構成されている。
【００２０】
以上のように、本発明に係る鮎釣り用針ケースは、針取り出し用窓部２が開設されたケーシング１内に、複数の掛針４を保持するための円環状針保持盤３が回転自在として収容されているので、針取り出し用窓部２から掛針４を迅速に取り出すことができる。掛針４を取り出すためにケーシング１を開閉する必要がなく、ポケットに入れたままでも掛針４を取り出すことができる。円環状針保持盤３を回転させて次々と新しい掛針４を繰り出すことができ、鮎の友釣りで１日に要する複数の掛針４を、コンパクトなケーシング１に収納して携行することができる。
【００２１】
また、円環状針保持盤３は、外周面３Ａに周方向の切込み溝１３が形成されており、切込み溝１３に１０本〜５０本の掛針４を差し込んで保持可能であるので、掛針４の差込み・取り出しが非常に容易であり、かつ、確実に保持できる。また、（１日の）鮎の友釣りで使用する掛針４の必要数を十分に満たすことができ、コンパクトで持ち運びが便利である。
【００２２】
また、円環状針保持盤３を一方向Ａへ回転自在とすると共に他方向Ｂへの回転を規制するラチェット機構５を具備しているので、掛針４が針取り出し用窓部２に引っ掛かるのを防止でき、円環状針保持盤３の回転が阻害されることが無く、かつ、安全性を向上できる。
【符号の説明】
【００２３】
１  ケーシング
２  針取り出し用窓部
３  円環状針保持盤
３Ａ  外周面
４  掛針
５  ラチェット機構
１３  切込み溝
Ａ  一方向
Ｂ  他方向
【図１】
2013183668.tif 000003
【図２】
2013183668.tif 000004
【図３】
2013183668.tif 000005
【図４】
2013183668.tif 000006
【図５】
2013183668.tif 000007
【図６】
2013183668.tif 000008
【図７】
2013183668.tif 000009
【図８】
2013183668.tif 000010